(57)【要約】      （修正有）【課題】メンテナンス性に優れ、外観及び見栄えの良好な太陽電池付き鞄を提供する。【解決手段】太陽電池付き鞄１０は、鞄１１と、外部機器への接続手段を備えるシート型太陽電池２０と、シート型太陽電池を鞄に着脱可能に取り付けるシート型太陽電池取り付け手段とを備え、シート型太陽電池２０は、一対の電極に挟持された光電変換層を備える太陽電池セルの表面側及び裏面側に防水性保護シートが配置され、織編物及び／又は不織布からなる下地層に積層されて形成されている。【選択図】図１
2014036795.tif 000002
【特許請求の範囲】
【請求項１】
鞄と、外部機器への接続手段を備えるシート型太陽電池と、前記シート型太陽電池を前記鞄に着脱可能に取り付けるシート型太陽電池取り付け手段とを備え、
前記シート型太陽電池は、一対の電極に挟持された光電変換層を備える太陽電池セルの表面側及び裏面側に防水性保護シートが配置され、織編物及び／又は不織布からなる下地層に積層されて形成されていることを特徴とする太陽電池付き鞄。
【請求項２】
前記外部機器が、二次電池及び／又は携帯機器であって、
前記鞄は、前記二次電池及び／又は携帯機器の取り付け手段を更に備える請求項１に記載の太陽電池付き鞄。
【請求項３】
前記シート型太陽電池取り付け手段が、前記鞄に形成された透明ポケットである請求項１又は２に記載の太陽電池付き鞄。
【請求項４】
前記透明ポケットの少なくとも一辺に開口部が形成されている請求項３に記載の太陽電池付き鞄。
【請求項５】
前記透明ポケットに、前記シート型太陽電池から延出するリード線を取り出すハトメ穴が形成されている請求項３又は４に記載の太陽電池付き鞄。
【請求項６】
前記透明ポケットのほぼ中央部に、該透明ポケットを縦断する線ファスナ付きの開口部が設けられており、該開口部の左右が、前記シート型太陽電池の収容部をなしている請求項３〜５のいずれか１項に記載の太陽電池付き鞄。
【請求項７】
前記シート型太陽電池取り付け手段が、面ファスナ、線ファスナ及びボタンから選ばれる一種以上である請求項１又は２に記載の太陽電池付き鞄。
【請求項８】
前記シート型太陽電池の周縁に、一部が開口をなすように線ファスナが設けられており、
前記シート型太陽電池を前記鞄に取り付けることによって形成される、前記シート型太陽電池と前記鞄との間の空間に、前記外部機器が収容される請求項７に記載の太陽電池付き鞄。
【請求項９】
前記鞄に、導電性材料を含んだ繊維及び／又は接着性樹脂で形成された配線パターンが設けられている請求項１〜８のいずれか１項に記載の太陽電池付き鞄。
【発明の詳細な説明】
【技術分野】
【０００１】
本発明は、鞄に太陽電池が取付けられた、太陽電池付き鞄に関する。
【背景技術】
【０００２】
太陽電池は、電池のように交換が不要であり、電子機器の充電用電源などとして利用されている。
【０００３】
電子機器の小型化、軽量化に伴い、サイクリングやハイキング等のアウトドア、電車や車での移動時においても、電子機器を屋外に持ち出して、屋外で使用することが多くなっている。これらの電子機器は、電池やバッテリーが切れると使用できなくなることから、電子機器を屋外で使用する場合には、屋外においても電力を確保できるようにすることが望まれている。
【０００４】
例えば、特許文献１には、バック本体の前面部材に太陽電池パネルを縫い付け固定した、太陽光による発電手段を備えた防災バックが開示されている。
【先行技術文献】
【特許文献】
【０００５】
【特許文献１】実用新案登録第３１７００９２号公報
【発明の概要】
【発明が解決しようとする課題】
【０００６】
太陽電池を鞄に取付ける試みは従来より行われているが、従来から用いられている太陽電池は重いので、鞄対して接着剤や縫着等によって強固に取付ける必要があった。このため、太陽電池を鞄から取外すのに手間を要し、鞄や太陽電池の手入れ等に支障があった。
【０００７】
また、太陽電池を鞄に取り付けることにより、鞄の外観や見栄えの点で支障が生じることがあった。
【０００８】
よって、本発明の目的は、メンテナンス性に優れ、外観及び見栄えの良好な太陽電池付き鞄を提供することにある。
【課題を解決するための手段】
【０００９】
本発明の太陽電池付き鞄は、鞄と、外部機器への接続手段を備えるシート型太陽電池と、前記シート型太陽電池を前記鞄に着脱可能に取り付けるシート型太陽電池取り付け手段とを備え、前記シート型太陽電池は、一対の電極に挟持された光電変換層を備える太陽電池セルの表面側及び裏面側に防水性保護シートが配置され、織編物及び／又は不織布からなる下地層に積層されて形成されていることを特徴とする。
【００１０】
本発明の太陽電池付き鞄は、シート型太陽電池取り付け手段によって、シート型太陽電池が鞄に対して着脱可能に取り付けられているので、鞄からシート型太陽電池を簡単に取り外しでき、鞄やシート型太陽電池の手入れを容易に行うことができる。
また、このシート型太陽電池は、太陽電池セルの表面側及び裏面側に防水性保護シートが配置されているので、防水性に優れ、雨に当たるなどしても、水濡れによる故障を防止できる。そして、織編物及び／又は不織布からなる下地層に積層されて形成されているので、鞄のデザインや材質に合わせて下地層の色や材質を変えることができ、外観や見栄えの良い太陽電池付き鞄とすることができる。
【００１１】
本発明の太陽電池付き鞄は、前記外部機器が、二次電池及び／又は携帯機器であって、前記鞄は、前記二次電池及び／又は携帯機器の取り付け手段を更に備えることが好ましい。これによれば、二次電池や携帯機器を手に持つ必要がなくなり、利便性を向上させることができる。
【００１２】
本発明の太陽電池付き鞄は、前記シート型太陽電池取り付け手段が、前記鞄に形成された透明ポケットであることが好ましい。これによれば、シート型太陽電池を透明ポケットに挿入し、太陽光を取り入れて発電可能な状態で鞄に取り付けることができる。
【００１３】
本発明の太陽電池付き鞄は、前記透明ポケットの少なくとも一辺に開口部が形成されていることが好ましい。これによれば、透明ポケット内に湿気や湿気が溜まっても、開口部から排出でき、シート型太陽電池の性能を維持できる。
【００１４】
本発明の太陽電池付き鞄は、前記透明ポケットに、前記シート型太陽電池から延出するリード線を取り出すハトメ穴が形成されていることが好ましい。これによれば、透明ポケット内に収容されたシート型太陽電池から延出したリード線を、透明ポケットの開口部から引き出すことなく、ハトメ穴から取り出すことができるので、リード線が透明ポケット内で絡まったり屈曲したりすることを防止して、リード線の取り回し性を向上させることができる。
【００１５】
本発明の太陽電池付き鞄は、前記透明ポケットのほぼ中央部に、該透明ポケットを縦断する線ファスナ付きの開口部が設けられており、該開口部の左右が、前記シート型太陽電池の収容部をなしていることが好ましい。これによれば、横に長いシート型太陽電池であっても、透明ポケット内に確実に収容できる。そして、線ファスナで開口部を閉じることで、シート型太陽電池の透明ポケットからの脱落を防止でき、鞄に対しシート型太陽電池をしっかりと取り付けることができる。
【００１６】
本発明の太陽電池付き鞄は、前記シート型太陽電池取り付け手段が、面ファスナ、線ファスナ及びボタンから選ばれる一種以上であることが好ましい。これによれば、鞄にシート型太陽電池を容易に着脱できる。
【００１７】
本発明の太陽電池付き鞄は、前記シート型太陽電池の周縁に、一部が開口をなすように線ファスナが設けられており、前記シート型太陽電池を前記鞄に取り付けることによって形成される、前記シート型太陽電池と前記鞄との間の空間に、前記外部機器が収容されることが好ましい。これによれば、シート型太陽電池を利用して、外部機器を収容できるので、鞄に外部機器の取り付け手段を別途設ける必要がなく、鞄のデザイン設計の自由度を高めることができる。
【００１８】
本発明の太陽電池付き鞄は、前記鞄に、導電性材料を含んだ繊維及び／又は接着性樹脂で形成された配線パターンが設けられていることが好ましい。これによれば、鞄に形成された上記配線パターンを介して、シート型太陽電池と外部機器とを電気的に接続できるので、シート型太陽電池や外部機器には、リード線を設ける必要がなく、リード線の絡まり等のトラブルを抑制できる。
【発明の効果】
【００１９】
本発明の太陽電池付き鞄によれば、鞄からシート型太陽電池を簡単に取り外しでき、鞄やシート型太陽電池の手入れを容易に行うことができる。また、このシート型太陽電池は、太陽電池セルの表面側及び裏面側に防水性保護シートが配置されているので、防水性に優れ、雨に当たるなどしても、水濡れによる故障を防止できる。そして、織編物及び／又は不織布からなる下地層に積層されて形成されているので、鞄のデザインや材質に合わせて下地層の色や材質を変えることができ、外観や見栄えの良い太陽電池付き鞄とすることができる。
【図面の簡単な説明】
【００２０】
【図１】本発明の太陽電池付き鞄の第１の実施形態を示しており、（ａ）はその正面側から見た場合の説明図、（ｂ）は背面側から見た場合の説明図である。
【図２】同太陽電池付き鞄に用いられるシート型太陽電池を示しており、（ａ）はその平面図、（ｂ）は（ａ）のＡ−Ａ矢示線における断面図である。
【図３】同シート型太陽電池の他形態を示す平面図である。
【図４】透明ポケットに、シート型太陽電池を収容する際の状態を示す説明図である。
【図５】本発明の太陽電池付き鞄の第２の実施形態であって、シート型太陽電池の取り付け状態を示す説明図である。
【発明を実施するための形態】
【００２１】
（第１実施形態）
以下、図１〜４を参照して、本発明の太陽電池付き鞄の第１実施形態について説明する。なお、各図において、各構成部材の厚さや大きさ等は、分かりやすく説明するための模式的なものであって、実際の厚さや大きさ等を反映するものではない。
【００２２】
図１に示すように、この実施形態における太陽電池付き鞄１０は、鞄１１と、外部機器１への接続手段を備えるシート型太陽電池２０と、シート型太陽電池２０を鞄１１に対して着脱可能に取り付けるシート型太陽電池取り付け手段とを備えている。鞄１１の種類としては、特に限定は無く、リュックサック、ショルダーバック、スリーウェイバック、アタッシェケース、ビジネスバック、セカンドバック、キャリーバック、トートバッグ、ポーチ、ボストンバック、スポーツバック、ショルダーバック、ポシェットなどいずれも好ましく用いることができる。この実施形態では、リュックサックを用いている。
【００２３】
図２を参照して、シート型太陽電池２０の構造を説明する。図２（ｂ）に示すように、このシート型太陽電池２０は、フィルム基板３１上に、第１電極層３３、光電変換層３５、第２電極層３７の順に製膜して形成したシート状の太陽電池セル３０を有している。
【００２４】
フィルム基板３１は、耐熱性、可撓性に優れるものを好ましく用いることができる。例えば、ポリイミド、ポリエチレンナフタレート、ポリエーテルサルフォン、ポリエチレンテレフタレート、アラミドなどのフィルム基板を好ましく用いることができる。
【００２５】
第１電極層３３又は第２電極層３７のうち、光入射側に配置される電極層（この実施形態では、第２電極層３７）は、ＩＴＯ、ＳｎＯ、ＺｎＯなどの透明導電性酸化物で形成される。また、光入射側とは反対に配置される電極層（この実施形態では、第１電極層３３）は、Ａｇ、Ａｇ合金、Ｎｉ、Ｎｉ合金、Ａｌ、Ａｌ合金などの導電性金属で形成される。また、これらの導電性金属で形成される層（以下、導電性金属層という）に、ＩＴＯ、ＳｎＯ、ＺｎＯなどの透明導電性酸化物で形成される層（以下、透明導電性酸化物層という）が積層されていてもよい。
【００２６】
各電極層の形成方法は特に限定は無く、各種電極材料を、蒸着法、スパッタ法、鍍金など当該技術において知られている任意の製膜方法で製膜して形成できる。
【００２７】
光電変換層３５としては、特に限定はない。微結晶シリコン系半導体層、アモルファスシリコン系半導体層、アモルファスシリコンゲルマニウム系半導体層、ＣＩＧＳ系半導体層等が挙げられる。更に、光電変換層３５は、半導体セルが複数層積層した多接合構造であってもよい。
【００２８】
太陽電池セル３０の受光面側には、封止材４１を介して接合された防水性表面保護シート５１が配置され、太陽電池セル３０の非受光面側には、封止材４３を介して接合された防水性保護シート５３が配置されており、太陽電池セル３０の外周が、封止材４１及び封止材４３により被覆されている（図２（ｂ）参照）。そして、これらの積層体が、封止材４５を介して下地層６０に積層した構造となっている。
【００２９】
封止材としては、特に限定はない。エチレン酢酸ビニル共重合体（ＥＶＡ）、エポキシ樹脂、ウレタン樹脂、シリコン樹脂、アクリル樹脂、又はポリイソブチレン等の樹脂材料からなるフィルムで、ある程度の接着性を有しているものが好ましい。
【００３０】
防水性表面保護シート５１としては、透明性、耐候性、耐熱性、防水性に優れた材料が好ましい。例えば、４フッ化エチレン−エチレン共重合体、フッ化ビニリデン樹脂、３フッ化塩化エチレン樹脂、ＥＴＦＥ（ｅｔｈｙｌｅｎｅ  ｔｅｔｒａｆｌｕｏｒｏｅｔｈｙｌｅｎｅ）、アクリル樹脂、３フッ化塩化エチレン樹脂コートアクリル樹脂、又はポリエステル樹脂等のフィルムが挙げられる。
【００３１】
防水性保護シート５３としては、防水性を有するものであれば特に限定は無い。防水性表面保護シート５１と同様のものを用いることができる。
【００３２】
下地層６０は、有機繊維又は無機繊維で形成された、織編物及び／又は不織布で構成される。有機繊維としては、綿、絹、麻、アラミド繊維、セルロース繊維、ナイロン繊維、ポリエステル繊維、ポリオレフィン繊維、レーヨン繊維等が挙げられる。無機繊維としては、ガラス繊維、カーボン繊維等が挙げられる。
【００３３】
下地層６０の材質、色彩は、シート型太陽電池２０を取り付ける鞄のデザインや素材に合わせて適宜変更することが好ましい。
【００３４】
太陽電池セル３０の取出電極には、リード線３８が接続されており、その先端に外部機器１との接続用のコネクタ３９が取付けられている。このコネクタ３９に、外部機器１から延設したリード線３の先端に取付けられたコネクタ５を連結することで、シート型太陽電池２０と外部機器１とが電気的に接続される。
【００３５】
外部機器１としては、特に限定は無い。二次電池、携帯機器等が挙げられる。携帯機器としては、携帯電話、スマートフォン、携帯音楽プレーヤー、デジタルカメラ、ＩＣレコーダー、携帯ゲーム機、ポータブルコンピュータ、携帯用ポータブルナビゲーション等が挙げられる。
【００３６】
なお、この実施形態では図２（ａ）に示すように、コネクタ３９は、リード線３８を介してシート型太陽電池２０の外側に配置された構造となっているが、図３に示すように、太陽電池セル３０の外周縁部の所定位置にコネクタ３９を直接取り付けるようにしてもよい。
【００３７】
図１（ａ）、（ｂ）に示すように、鞄の左右両側部には、外部機器１を出し入れ可能なポケット７１，７２がそれぞれ取り付けられている。ポケット７１，７２が、本発明における「外部機器の取り付け手段」をなしている。
【００３８】
図１（ｂ）及び図４に示すように、鞄の正面側ほぼ中央には、その幅方向に沿って横長形状をなすと共に、シート型太陽電池２０を出し入れ可能な透明ポケット７５が設けられている。透明ポケット７５が、本発明における「シート型太陽電池取り付け手段」をなしている。
【００３９】
なお、この実施形態では、鞄の正面側ほぼ中央に透明ポケット７５を設けたが、透明ポケット７５の位置は、特に限定は無く、鞄の側部、上部、肩掛け紐など、太陽光が照射される位置であればいずれでもよい。
【００４０】
透明ポケット７５は、太陽光を透過可能な透明材料からなる透明シートで形成されている。透明材料としては特に限定されないが、好ましくは可視光透過率及び／又は近赤外線透過率が１０％〜１００％の範囲のフィルム、メッシュ、織編物のいずれかを用いることが、太陽電池の発電に必要な太陽光の取り込みを効率的に行えるため好ましい。透明材料の素材は、ポリプロピレン、ポリエチレン、ポリブチレン、ポリプロピレン、ポリエステル、ナイロン、アクリル、ポリ塩化ビニル、ポリスチレン、ポリビニルアルコールの群より選ばれた少なくとも一種の原料を用いることが取り扱い性、生産性に優れ好ましい。
【００４１】
この実施形態では、透明ポケット７５は、横長形状をなした透明シートの外周縁部を、縫合糸や接着剤で鞄１１に取り付けて形成されている。透明ポケット７５の幅方向ほぼ中央部には、該透明ポケット７５を縦断する開口部７６が設けられている。この開口部７６には、同開口部７６を開閉可能とする線ファスナ７７が取付けられている。図４に示すように、線ファスナ７７を解除して開口部７６を開き、開口部７６からシート型太陽電池２０の一側部を挿入して透明ポケット７５内に収容し、その後、シート型太陽電池２０の他側部を透明ポケット７５内に収容することで、シート型太陽電池２０を鞄１１に取り付けることができる。すなわち、透明ポケット７５の開口部７６の左右が、シート型太陽電池２０の収容部をなしている。
【００４２】
なお、上記線ファスナ７７としては、例えば、雌雄嵌合するシール条によって開閉する構造のシールチャックや、スライダーによりエレメントを噛み合わせたり離したりして開閉する構造のスライドファスナー等を採用することができる。
【００４３】
また、図４に示すように、透明ポケット７５の底部には、透明ポケット７５の内外を連通させ、透明ポケット７５内の水分を排出するための開口部７８が形成されている。この実施形態では、透明ポケット７５の左右両側部であって、その幅方向ほぼ中央に、開口部７８，７８がそれぞれ形成されている。
【００４４】
更に、透明ポケット７５の所定箇所には、シート型太陽電池２０から延出するリード線３８を挿通させて、透明ポケット７５の内部から取り出すためのハトメ穴７９が形成されている。この実施形態では、透明ポケット７５の左右両側部の上方角部に、ハトメ穴７９がそれぞれ形成されている。
【００４５】
上記構成からなる太陽電池付き鞄１０によれば、鞄１１にシート型太陽電池２０を取り付ける際には、図４に示すように、線ファスナ７７を解除して開口部７６を開き、この開口部７６からシート型太陽電池２０の一側部を挿入して、透明ポケット７５の幅方向一側部に収容した後、シート型太陽電池２０の他側部を透明ポケット７５の幅方向他側部に挿入して収容すると共に、ハトメ穴７９からリード線３８の一端を外部に引き出しておき、この状態で開口部７６に設けた線ファスナ７７によって開口部７６を閉じることで、シート型太陽電池２０を透明ポケット７５から脱落することを防止して、しっかりと取り付けることができる。
【００４６】
また、横長形状の透明ポケット７５の幅方向中央に設けた開口部７６の左右がシート型太陽電池２０の収容部をなしているので、横に長いシート型太陽電池２０であっても、透明ポケット７５内に確実に収容することができる。
【００４７】
また、外部機器１は、ポケット７１，７２に収容できるので、外部機器１を手に持つ必要がなく、利便性を向上させることができる。
【００４８】
また、透明ポケット７５内からシート型太陽電池２０を取り出す場合には、線ファスナ７７を解除して開口部７６を開くことで、シート型太陽電池２０を取り出すことができ、シート型太陽電池２０の着脱が容易である。
【００４９】
このように、この太陽電池付き鞄１０は、鞄のクリーニング時や、シート型太陽電池２０のメンテナンス時など、必要に応じて鞄１１からシート型太陽電池２０を容易に取り外しでき、利便性に優れる。
【００５０】
また、このシート型太陽電池２０は、太陽電池セル３０の表面両面に、防水性保護シート５１，５３が配置されて、織編物及び／又は不織布からなる下地層６０に積層されて形成されているので、防水性が高く、日常生活や、散歩、サイクリング、登山等の際に問題なく利用することができる。更には、下地層６０が織編物及び／又は不織布で形成されているので、下地層６０を鞄の素材や色に合わせたものを選択でき、外観や見栄えの良い太陽電池付き鞄とすることができる。
【００５１】
また、図４に示すように、透明ポケット７５の底部には開口部７８が形成されているので、透明ポケット７５内に水や湿気が溜まっても、この開口部７８から排出でき、シート型太陽電池２０の性能を長期に亘って維持することができる。
【００５２】
また、透明ポケット７５にはハトメ穴７９が形成されており、このハトメ穴７９から、透明ポケット７５内に収容されたシート型太陽電池２０から延出したリード線３８を引き出すことができるようになっているので、リード線３８が透明ポケット７５内で絡まったり屈曲したりすることを防止して、リード線３８の取り回し性を向上させることができる。
【００５３】
なお、この実施形態では、シート型太陽電池取り付け手段として、透明ポケットを採用したが、透明ポケットに限定されず、面ファスナや、線ファスナ、ボタン等としてもよい。例えば、シート型太陽電池２０の下地層６０に、面ファスナの雄部材（フックが起毛している部材）又は雌部材（フックに係合するループが起毛している部材）の一方を取り付けておき、他方を鞄に取り付けた態様としたり、下地層６０に、線ファスナの一方を取り付け、他方を鞄に取り付けた態様としたり、下地層６０に、ボタン又は該ボタンが係合するボタン穴の一方を形成しておき、他方を鞄に取り付けた態様としてもよい。線ファスナとしては、雌雄嵌合するシール条によって開閉する構造のシールチャックや、スライダーによりエレメントを噛み合わせたり離したりして開閉する構造のスライドファスナー等を採用することができる。
【００５４】
また、この実施形態では、シート型太陽電池２０と外部機器１とを、リード線とコネクタを介して両者を電気的に接合する構成としたが、鞄１１に、導電性材料を含んだ繊維及び／又は接着性樹脂（以下、導電性繊維類という）によって、所定の配線パターンを形成し、シート型太陽電池２０のコネクタと、外部機器１のコネクタとを、該配線パターンを介して、両者を電気的に接続してもよい。導電性繊維類の配線パターンは、鞄１１の表面に模様として形成してもよく、表面に配線模様がでないように鞄１１の裏地に形成してもよい。
【００５５】
ここでいう導電性材料とは、少なくとも単独で表面電気抵抗値が１０７Ω以下の材料を指し、種類は特に限定されないが、カーボンや金属が好ましい素材として挙げられる。
【００５６】
導電性材料を含んだ繊維としては、例えば、導電性材料を繊維内部に練り込んだ縫糸、導電性材料を繊維表面に蒸着させた縫糸、導電性材料を繊維と混合させた縫糸等が挙げられる。
【００５７】
導電性材料を含んだ接着性樹脂としては、例えば、接着樹脂層と、導電性材料を樹脂材料に練り込んだ、あるいは樹脂材料の表面に蒸着させた導電樹脂層と、表面保護フィルム層よりなる３層構造の導電性粘着テープ等が挙げられる。導電性粘着テープは、加工性、取り扱い性の点で好適に用いることができる。
【００５８】
配線パターンの形態としては、例えば、導電性材料を含んだ繊維として、上記縫糸を用いる場合、該縫糸を鞄１１のシート型太陽電池２０のコネクタ３９と、外部機器１のコネクタ５間の領域に存在するミシン縫目線に沿って縫製し、縫糸の端点をシート型太陽電池２０のコネクタ３９と、外部機器１のコネクタ５にそれぞれ縫製または接着により接合させる形態等が挙げられる。この形態によれば、加工工程を縫製作業と兼用でき生産性に優れ、好適に用いることができる。
【００５９】
また、配線パターンの他の態様としては、例えば、導電性材料を含んだ接着性樹脂として、上記導電性粘着テープを用いる場合、該導電性粘着テープを鞄１１のシート型太陽電池２０のコネクタ３９と外部機器１のコネクタ５間の領域に存在するミシン縫目線上に沿って、あるいは領域内の経由線上に接着し、テープの端点をシート型太陽電池２０のコネクタ３９と、外部機器１のコネクタ５にそれぞれ縫製または接着により接合させる形態等が挙げられる。この形態によれば、配線パターンの浮きやだぶつき、引っかかりなどが少なく、好適に用いることができる。
【００６０】
（第２の実施形態）
図５を用いて、本発明の太陽電池付き鞄の第２の実施形態を説明する。図５には、線ファスナ８１をシート型太陽電池取り付け手段として用い、鞄１１にシート型太陽電池２０を取り付けた状態の説明図が示されている。
【００６１】
すなわち、この実施形態では、図５に示されるように、この太陽電池付き鞄は、シート型太陽電池２０の左右側辺及び底辺が、スライドファスナーである線ファスナ８１によって鞄１１に対して着脱可能に取り付けられている。そして、シート型太陽電池２０と鞄１１との間に、上方が開口した袋状構造の空間８３が形成されている。
【００６２】
この態様によれば、上記空間８３に、外部機器１を収容できるので、鞄に外部機器の取り付け手段を別途設ける必要がなく、鞄の製造コストをより低減でき、更には、鞄のデザイン設計の自由度を高めることができる。
【符号の説明】
【００６３】
１：外部機器
３：リード線
５：コネクタ
１０：太陽電池付き鞄
１１：鞄
２０：シート型太陽電池
３０：太陽電池セル
３１：フィルム基板
３３：第１電極層
３５：光電変換層
３７：第２電極層
３８：リード線
３９：コネクタ
４１，４３，４５：封止材
５１：防水性表面保護シート
５３：防水性保護シート
６０：下地層
７１：７２：ポケット
７５：透明ポケット
７６：開口部
７７：線ファスナ
７８：開口部
７９：ハトメ穴
８１：線ファスナ
８３：空間
【図１】
2014036795.tif 000003
【図２】
2014036795.tif 000004
【図３】
2014036795.tif 000005
【図４】
2014036795.tif 000006
【図５】
2014036795.tif 000007